(57)【特許請求の範囲】
【請求項１】
開閉方向に平行に配置した扉体構成桟に対してそれぞれ一端を回動自在に軸支し又はスライド自在に係合した複数のリンクバーと，該各リンクバーの他端を回動自在に軸支して上記リンクバーを上記扉体構成桟間で拡縮自在に連結するリンク連結部材とを備えてなることを特徴とする伸縮扉体のリンク装置。
【請求項２】
上記リンク連結部材によるリンクバーの回動自在の軸支を，上記開閉方向に平行に配置した扉体構成桟間で各リンクバーを同一面に位置するように行ってなることを特徴とする請求項１に記載の伸縮扉体のリンク装置。
【請求項３】
上記リンク連結部材を，円形，矩形，方形，花形，動物形，社章形，文字形等の形状に形成し又は模様，社章，文字等を表示して形成してなることを特徴とする請求項１又は２に記載の伸縮扉体のリンク装置。
【発明の詳細な説明】
【０００１】
【発明の属する技術分野】
本発明は，開口部に設置する開口部材の伸縮扉体に関し，特にそのリンク装置に関する。
【０００２】
【従来の技術及び発明が解決しようとする課題】
この種伸縮扉体のリンク装置として，扉体構成桟をその全体に亘って同時連動的に伸縮する同時伸縮自在の形態のものが，例えば上吊り式の横引きシャッターや伸縮門扉に使用されているが，本発明の解決課題とするところは，伸縮扉体の扉体構成桟を上記と同様に同時伸縮自在とし或いは扉体構成桟を個別単動的に伸縮する個別伸縮自在とする伸縮要素として使用し或いは扉体構成桟の長手方向端部に設置した他の伸縮要素とともに伸縮扉体を装飾する装飾要素として使用することができるとともに比較的薄く且つ外観よく構成できるようにした伸縮扉体のリンク装置を提供するにある。
【０００３】
【課題を解決する手段】
上記課題に沿って請求項１に記載の発明を，開閉方向に平行に配置した扉体構成桟に対してそれぞれ一端を回動自在に軸支し又はスライド自在に係合した複数のリンクバーと，該各リンクバーの他端を回動自在に軸支して上記リンクバーを上記扉体構成桟間で拡縮自在に連結するリンク連結部材とを備えてなることを特徴とする伸縮扉体のリンク装置とし，請求項２及び３に記載の発明は，それぞれその好ましい形態とするように，請求項２に記載の発明を，上記リンク連結部材によるリンクバーの回動自在の軸支を，上記開閉方向に平行に配置した扉体構成桟間で各リンクバーを同一面に位置するように行ってなることを特徴とする請求項１に記載の伸縮扉体のリンク装置とし，請求項３に記載の発明を，上記リンク連結部材を，円形，矩形，方形，花形，動物形，社章形，文字形等の形状に形成し又は模様，社章，文字等を表示して形成してなることを特徴とする請求項１又は２に記載の伸縮扉体のリンク装置とし，これらをそれぞれ発明の要旨として上記各課題解決の手段としたものである。
【０００４】
なお本発明において扉体構成桟とは，単体の桟，前後に一対の桟，該前後に一対の桟の長手方向端部を連結したフレームをなす桟等，単一配置及び複数配置のものを含む意味に使用する。
【０００５】
【作用】
本発明は，リンクバーの扉体構成桟に対する軸支が，リンク装置の扉体構成桟長手方向への移動を防止し，スライド自在の係合がリンクバーの扉体構成桟長手方向への移動を許容するとともにリンクバーのリンク連結部材に対する軸支がリンクバーの上記移動に伴う回動を許容し，扉体構成桟の長手方向定位置でリンク装置を拡縮して，リンク装置の配置形態に応じた扉体構成桟の個別伸縮又は同時伸縮とこれによる扉体構成桟の伸縮開閉を行なうように作用する。
【０００６】
【発明の実施の形態】
以下図面の例に従って本発明を更に具体的に説明すれば，図１乃至図５においてＡは伸縮扉体，１は該伸縮扉体Ａを構成する開閉方向に平行に配置した扉体構成桟，３は該扉体構成桟１を伸縮するリンク装置であり，該リンク装置３は，上記扉体構成桟１に対してそれぞれ一端を回動自在に軸支し又はスライド自在に係合した複数のリンクバー４と，該各リンクバー４の他端を回動自在に軸支して上記リンクバー４を上記扉体構成桟１間で拡縮自在に連結するリンク連結部材５とを備えたものとしてある。
【０００７】
即ち本例の伸縮扉体Ａは，例えば左右のガイドレール１４の案内によって上下方向に伸縮するシースルーの縦引きシャッターとして開口部に設置するものとしてある一方，上記リンク装置３を開閉方向に隣接する扉体構成桟１間にそれぞれ配置することによって該リンク装置３を配置した扉体構成桟１を個別単動的に伸縮する個別伸縮自在のものとしてあり，このとき上記リンク装置３は，扉体構成桟１の長手方向に複数乃至多数配置することによって，上記隣接する扉体構成桟１を伸縮単位，即ち開閉の単位として，その上記個別伸縮を扉体構成桟１の長手方向に同時に行って，伸縮扉体Ａの伸縮開閉を安定して行い得るようにしてある。
【０００８】
本例にあって扉体構成桟１はそれぞれ単一の桟によるものとし，またこれを多数水平に配置することによって，上記開閉方向に平行に配置した，伸縮単位をなすものとしてあり，このとき本例のリンク装置３は，隣接する扉体構成桟１間にそれぞれ配置するとともに該扉体構成桟１の正面側位置と背面側位置のうち，背面側位置に配置してある。
【０００９】
リンク装置３の上記リンクバー４は，本例において各４本使用して，これらを上記隣接する扉体構成桟１にそれぞれその一端を回動自在に軸支し又はスライド自在に係合するようにしてあり，このとき上記４本のうち２本を回動自在に軸支し，２本をそれぞれスライド自在に係合するようにしてある。上記回動自在の軸支は，これを固定軸１０を介してリンクバー４を回動自在に固定することによって行い，上記スライド自在の係合は，これをリンクバー４に設置した可動軸１１を扉体構成桟１の長手方向にスライド移動自在とすることによって行ってあり，本例にあって該可動軸１１はその扉体構成桟１側先端にローラー，スライダ等の適宜の可動部材１２を備え，該可動部材１２を扉体構成桟１側の背面側に形成した，例えばＣ字状溝，倒Ｔ字状突条等のガイド条２に嵌合し，引掛係止する等して，上記スライド移動をスムーズ且つ確実になし得るようにしてある。
【００１０】
上記４本のリンクバー４は，上記リンク連結部材５にその各他端を回動自在に軸支してあり，これによって扉体構成桟１間において拡縮自在の上記リンク装置３を構成するものとしてあり，本例において該リンク装置３は，これをＸ字状を呈するものとしてある。
【００１１】
本例の上記リンク連結部材５は，例えば図示するように円形の形状に形成して，上記Ｘ字状のリンク装置３において装飾用のアクセントをなすようにするとともに，本例において該リンク連結部材５は，これを開閉方向に一対の軸支部材６を備えて形成するとともに該―対の軸支部材６を回動自在の連結部によって連結することによって該リンク連結部材５を前後方向に回動折曲自在としたものとしてあり，これによってリンク装置３における各リンク連結部材５の回動折曲を許容し，上記伸縮扉体Ａの伸縮開閉に際して，その前後方向に向けた方向転換を行い，湾曲面や交差する複数面に対する伸縮扉体Ａの湾曲乃至折曲開閉，伸縮扉体Ａの交差収納，巻取り収納等，本例にあってはこのうち交差収納を可能とするようにしてある。
【００１２】
このとき本例の上記リンク連結部材５によるリンクバー４の回動自在の軸支は，これを，上記開閉方向に平行に配置した扉体構成桟１間で各リンクバー４を同一面に位置するように行ったものとし，また，上記一対の軸支部材６の回動自在の連結を，ヒンジ９を用いて，すくなくとも１／４円を，正面側，背面側の一方又は双方のうち，本例において背面側の一方に向けて行うようにしてある。
【００１３】
即ち本例の軸支部材６は，例えばリンクバー４の端部を受け入れるリンク受入溝７を形成する前後の対向板８を備えた断面上向きコ字状のものとして構成し，その底壁間背面側に上記ヒンジ９を介設することによって上記リンク連結部材５を構成するその連結部の構成部材をなすものとしてあり，該一対の軸支部材６は，各扉体構成桟１からの２本のリンクバー４をそれぞれ各リンク受入溝７に受け入れ，該リンクバー４の拡縮時の回動をそのリンク受入溝７内で可能とするように，上記回動可能の軸支を行ってあり，このとき該回動自在の軸支は，これを上記と同様に固定軸１０を介してリンクバー４を回動自在に固定することによって行ってある。
【００１４】
図６以下は他の例を示すもので，図６乃至図１２は，扉体構成桟１をそれぞれ前後に一対備えるとともに長手方向両端部に桟連結部材を配置することによりフレームをなすように配置する一方，上記と同様に開閉方向に隣接する前後の各扉体構成桟１に対して前後にそれぞれ２本のリンクバー４を回動自在に軸支又はスライド自在に係合することによって合計８本のリンクバー４を用い，上記前後の扉体構成桟１の中間位置においてリンク連結部材５によるリンクバー４の回動自在の軸支を，扉体構成桟１間で前後の各４本をそれぞれ同一面に位置するように行うことによって，同じくＸ字状を呈するリンク装置３によって，扉体構成桟１を同じく個別単動的に伸縮する個別伸縮自在とした例であり，このときリンク連結部材５の上記一対の軸支部材６は，これをリンク装置３の縮小折畳み時の相互当りを解消するように楕円乃至短形の形状とし前後に幅広のリンク受入溝７を備えた，上記軸支部材６のリンク受入溝７の奥行を深くしたものとして，上記リンクバー４の端部をそれぞれ同一面に位置するように回動自在に受け入れるとともに，前後のリンクバー４間にスペーサー１３を介設し，その軸支をスペーサー１３を介して行うようにしてあり，また軸支部材６のヒンジ９の位置を，背面側の扉体構成桟１の厚さを吸収するように該扉体構成桟１の背面側に向けて突出した位置で行ったものとしてある。
【００１５】
図１３乃至図１６は，上記リンク装置３を，３本以上，本例において３本の扉体構成桟１にリンクバー４を跨り配置することによって扉体構成桟１を同時連動的に伸縮する同時伸縮自在とした場合の伸縮扉体Ａの例を示しており，本例にあって，リンク装置３の配置の形態を，上記Ｘ字状をなす４本のうち１本のリンクバー４を開閉方向に隣接する扉体構成桟１間の各リンク装置３におけるリンク連結部材５，特に軸支部材６に至る長さを有する一連一体のものとし，該一連一体のリンクバー４を相互に隣接するリンク装置３間にそれぞれ配置し，その余のリンクバー４を上記と同じように配置することによって，該一連一体のリンクバー４を開閉方向に隣接するリンク装置３にそれぞれ共通の連動用のリンクバー４とするとともに，その中間で交差する扉体構成桟１に対して該リンクバー４を上記固定軸１０によってそれぞれ回動自在に軸支することによって，該一連一体のリンクバー４によって各リンク装置３を同時に連動させ，該リンク装置３の同時の拡縮によって，扉体構成桟１の同時連動的な伸縮を行うようにしてある。
【００１６】
図６乃至図１６の各例におけるその余のリンク装置３等の構成はそれぞれ上述の例と変わらないので，同一符号を付して，重複する説明を省略する。
【００１７】
このように構成した各伸縮扉体Ａは，いずれもシースルーの縦引きシャッターとして，開口部に設置することによって，個別伸縮自在又は同時伸縮自在のものとして，開口部のガイドレール１４の案内によってその伸縮開閉を行うものとなるところ，これらにおいては，上記リンクバー４を同一面に位置するように配置したことによって，リンク装置３を可及的に薄いものとして，伸縮扉体Ａの厚さの増大を防止することができ，またリンク装置３の配置を，扉体構成桟１の長手方向に複数，多数，開閉方向に同一列，千鳥列等適宜に行うようにすることによって，従来にないリンク装置３配置による独自の意匠を呈するとともに，上記リンク連結部材５が伸縮扉体Ａのアクセントをなすものとなって，更に独自性を高めた伸縮扉体Ａを形成することができ，例えばパイプシャッターに見られるような画一的なデザインを脱して個性的なシャッターとすることができる。
【００１８】
ところで上記同時伸縮自在としたものは，従来と同様なガイドレールの案内によってその伸縮開閉を行うものとすることができるが，その伸縮開閉を電動，手動のうち手動とすると，特に縦引きシャッターの場合には，その開成に当って，伸縮扉体Ａの開閉方向中間位置に手を掛けて複数回上方に向けて押し上げ状に操作するのが通常であるために，縮小する扉体構成桟１に手を挟まれる可能性が残ることになるが，個別伸縮自在としたものにあっては，例えば各扉体構成桟１の長手方向端部，特に両端に扉体構成桟１とガイドレール１４との間に伸縮規制手段１７を設置し，開口面において伸張状態を保持し，収納部近傍においてこれを解除するように，伸縮扉体Ａの伸縮位置をコントロールすることが可能になるから，これを同時に使用すれば，手動のものとしても，上記手を挟まれる可能性を解消することができ，同時伸縮自在のリンク装置３にない，開口部材としての特徴を持ったものとすることができる。
【００１９】
このとき上記伸縮規制手段１７は，例えば図１１，１２に示すように，ガイドレール１４における開閉ガイド１６による開閉用ガイドローラー１５の案内に加えて，隣接する扉体構成桟１端部をＶ字状に折曲自在のリンク１８によって回動自在に連結し，その中央位置の折曲軸支部に伸縮規制用ガイドローラー１９を設置する一方，ガイドレール１４に設置した該伸縮規制用ガイドローラー１９を案内する規制ガイド２０を開口面において直線状とし，収納部近傍において上記開閉ガイド１６と離隔するようにこれと分岐させるようにして，これによって上記伸縮位置のコントロールを行うようにすればよい。
【００２０】
なお図示を省略したが，本例の縦引シャッターとした伸縮扉体Ａにおいては，例えば下端の扉体構成桟をワイヤーやチェーンの一端に連結し，幅方向両端上部に設置したプーリーやスプロケットを介してバランサーをこれらワイヤーやチェーンの他端に連結して設置することにより，手動，電動を問わずにその開閉荷重をバランサーが相殺して開閉荷重を軽減するようにすることが可能であり，またこのときチェーンとスプロケットを使用するようにするとともに上記スプロケットを同軸回転するようにスプロケットを連結する同軸回転軸を備えたものとすれば，特に上記個別伸縮自在としたときに発生することのある伸縮扉体幅方向，即ち扉体構成桟長手方向の捻れを防止して，その開閉をスムーズに行なうものとすることができる。
【００２１】
図示した例は以上のとおりとしたが，上記扉体構成桟の長手方向端部に上記リンク装置とは別にこれらを伸縮する伸縮装置を設置し，上記リンク装置を，伸縮扉体において上記伸縮装置の伸縮開閉に伴って伸縮し，その装飾を行う装飾要素として使用すること，このとき上記伸縮装置を扉体構成桟の長手方向両端部に設置した同時伸縮用の伸縮装置とし，装飾要素としてのリンク機構をこれらの間に単一又は複数配置したものとすること，伸縮要素又は装飾要素としてのリンク装置を，上記Ｘ字状のものの他，リンク連結部材を介したＩ字状，Ｓ字状，８字状等の適宜の形状を呈するように直線状，半円状，波型状，屈曲状等のリンクバーを適宜に配置した形態のものとすること，またリンク装置を隣接する扉体構成桟毎にその配置位置をその長手方向に交互或いは順次にずらした形態とし，或いは散在した形態のものとすること，伸縮扉体を，対向するガイドレールの案内によって開閉する，例えば上吊りの横引きシャッターとして構成し，また下端のガイドレールの案内によって開閉する，例えばリンク装置を前後に複数配置する等してその自立性を確保した横引きの伸縮門扉として構成すること，これら横引きの開閉を行うシャッター，伸縮門扉等とする場合に，上記個別伸縮の伸縮要素としたリンク装置を有する伸縮扉体を，その戸先側に部分的に配設するようにして，従前の同時伸縮の伸縮扉体における戸先側の該部分を開閉し，人の出入り用の開口を得るようにすること，上記リンク連結部材を，上記円形の他，矩形，方形，花形，動物形，社章形，文字形等の表面形状に形成し又は模様，社章，文字等を表示して形成したものとすること，このときリンク連結部材を単一平板状のプレート，断面Ｌ字状のプレート等の単一部材として構成すること，リンク連結部材を回動折曲自在のものとするとき，硬質の軸支部を軟質の連結部で連結した，例えば硬軟一体成形の樹脂製とし，軸支部材をアルミ鋳物製としてこれをヒンジ連結したものとし，軸支部材をアルミ押出材製とし，これに一体の軸と軸受によるアルミ一体ヒンジで連結したものとすること，リンク連結部材に対するリンクバーをリンク連結部材の前後に位置するように例えば同軸に軸支し又は異軸に軸支して非同一面に配置すること，リンク連結部材を上記回動折曲自在とするとき，その前後双方に回動折曲自在として，正面側と背面側の一方に任意に伸縮扉体を湾曲乃至折曲自在に形成し，収納部の設置等の折曲方向の変化に共通に対応し得るようにすること，扉体構成桟を同時に伸縮する同時伸縮の伸縮要素とするとき，４本又はそれ以上の扉体構成桟に一連一体のリンクバーを跨り配置する形態のものとすること等を含めて，本発明の実施に当って，伸縮扉体，扉体構成桟，リンク装置，そのリンクバー，リンク連結部材の各具体的形状，構造，材質，数，配置形態，用途，これらの関係，これらに対する付加等は，上記発明の要旨に反しない限り様々の形態のものとすることができる。
【００２２】
【発明の効果】
本発明は以上のとおりに構成したから，請求項１に記載の発明は，伸縮扉体の扉体構成桟を同時伸縮自在とし或いは扉体構成桟を個別単動的に伸縮する個別伸縮自在とする伸縮要素として使用し或いは扉体構成桟の長手方向端部に設置した他の伸縮要素とともに伸縮扉体を装飾する装飾要素として使用することができるとともに比較的薄く且つ外観よく構成できるようにした伸縮扉体のリンク装置を提供することができ，請求項２及び３に記載の発明は，それぞれその好ましい形態のものとすることができる。
【図面の簡単な説明】
【図１】扉体構成桟とリンク装置の関係を示す伸縮扉体の部分拡大正面図である。
【図２】扉体構成桟とリンク装置の関係を示す伸縮扉体の部分拡大縦断面図である。
【図３】扉体構成桟とリンク装置の関係を示す伸縮扉体の部分拡大平面図である。
【図４】図２の部分拡大図である。
【図５】リンク装置の折曲の状態を示す部分拡大断面図である。
【図６】他の例に係る伸縮扉体の部分拡大正面図である。
【図７】図５の例の伸縮扉体の部分拡大縦断面図である。
【図８】図５の例の伸縮扉体の部分拡大平面図である。
【図９】図７の部分拡大図である。
【図１０】図５の例におけるリンク装置の折曲の状態を示す部分拡大断面図である。
【図１１】伸縮規制装置の例を示す部分拡大横断面図である。
【図１２】図１１の伸縮規制装置の部分拡大縦断面図である。
【図１３】他の例に係る伸縮扉体の部分拡大正面図である。
【図１４】図１３の例の伸縮扉体の部分拡大縦断面図である。
【図１５】図１３の例の伸縮扉体の部分拡大平面図である。
【図１６】図１３の例におけるリンク装置の折曲の状態を示す部分拡大断面図である。
【符号の説明】
Ａ  伸縮扉体
１  扉体構成桟
３  リンク装置
４  リンクバー
５  リンク連結部材
【図１】
0004060987.tif 000002
【図２】
0004060987.tif 000003
【図３】
0004060987.tif 000004
【図４】
0004060987.tif 000005
【図５】
0004060987.tif 000006
【図６】
0004060987.tif 000007
【図７】
0004060987.tif 000008
【図８】
0004060987.tif 000009
【図９】
0004060987.tif 000010
【図１０】
0004060987.tif 000011
【図１１】
0004060987.tif 000012
【図１２】
0004060987.tif 000013
【図１３】
0004060987.tif 000014
【図１４】
0004060987.tif 000015
【図１５】
0004060987.tif 000016
【図１６】
0004060987.tif 000017